(57)【要約】【課題】  コンロの炎及び熱がやかんの外側に沿って抜けてしまうことを防ぎ、内部の水への熱伝導効率を可能な限り高めたやかんを提供すること。【解決手段】  やかん１０の底部に形成され、コンロ２０の炎２１又は熱を導入する底部開口６と、当該底部開口６に一端が接続され、やかん１０の貯水部１内を通過した後、やかん外部に抜ける熱出口と他端が接続された熱伝導管路７と、当該熱伝導管路７の外側面に螺旋状に形成され、熱せられた空気と接触して熱出口まで熱せられた空気を案内する突条７ａとを備えたことを特徴とするやかん１０。【選択図】図１
0003161604.tif 000002
【実用新案登録請求の範囲】
【請求項１】
やかんの底部に形成され、コンロの炎又は熱を導入する底部開口と、
当該底部開口に一端が接続され、やかんの貯水部内を通過した後、やかん外部に抜ける熱出口と他端が接続された熱伝導管路と、
当該熱伝導管路の外側面に螺旋状に形成され、熱せられた空気と接触して熱出口まで熱せられた空気を案内する突条と
を備えたことを特徴とするやかん。
【請求項２】
底部開口は、やかんの底部のほぼ全体にわたり開口するように形成されており、熱伝導管路は、前記底部開口から上方に向かって徐々に径が細くなるように形成されていることを特徴とする請求項１に記載のやかん。
【請求項３】
熱伝導管路は、その内側面の表面積が増大するように、波状に湾曲形成されていることを特徴とする請求項１又は２に記載のやかん。
【請求項４】
やかんの貯水部は、その下部の内径が小さくなるように形成されていることを特徴とする請求項１ないし３のいずれか１項に記載のやかん。
【請求項５】
やかんの貯水部は、内部の水量に応じて上下する浮子を有するゲージを備えていることを特徴とする請求項１ないし４のいずれか１項に記載のやかん。
【考案の詳細な説明】
【技術分野】
【０００１】
本考案は、熱効率を高めたやかんに関するものである。
【背景技術】
【０００２】
従来、熱効率を高めたやかんとして、底板を波状に加工したやかん（特許文献１）、底に環状の溝を形成したやかん（特許文献２）、底にパイプ状の管路を設けたやかん（特許文献３）が提案されている。
【０００３】
しかし、かかる従来のやかんにおいては、コンロの炎により熱せられた空気がやかんの外周面に沿ってすぐに抜け出てしまうため、熱効率を十分高めることができないという欠点があった。
【０００４】
そこで、コンロの炎により熱せられた空気をやかん内部の水へ効率よく導くために、底から穴を開け煙突を付けたやかんが提案されている（特許文献４）。
【０００５】
しかしながら、かかる煙突を設けたやかんにおいても、コンロの炎により熱せられた空気がやかんの外周面に沿ってすぐに抜け出てしまったり、細い煙突と内部の水との接触面積が小さく、煙突から内部の水への熱伝導効率が十分高められていないという問題があった。
【先行技術文献】
【特許文献】
【０００６】
【特許文献１】実用新案登録第３０１７８６３号公報
【特許文献２】実開平５−６３４２３号公報
【特許文献３】実開昭６２−１９６１３０号公報
【特許文献４】実開平７−２２０号公報
【考案の概要】
【考案が解決しようとする課題】
【０００７】
そこで、本考案が解決しようとする課題は、従来のやかんにおいては、コンロの炎により熱せられた空気がやかんの外周面に沿って抜けてしまったり、内部の水への熱伝導効率が十分高められていないことであり、本考案の目的は、コンロの炎により熱せられた空気がやかんの外周面に沿ってすぐに抜け出てしまうことを防ぎ、内部の水への熱伝導効率を可能な限り高めたやかんを提供することにある。
【課題を解決するための手段】
【０００８】
上記課題を解決するため、請求項１に記載のやかんは、やかんの底部に形成され、コンロの炎又は熱を導入する底部開口と、当該底部開口に一端が接続され、やかんの貯水部内を通過した後、やかん外部に抜ける熱出口と他端が接続された熱伝導管路と、当該熱伝導管路の外側面に螺旋状に形成され、熱せられた空気と接触して熱出口まで熱せられた空気を案内する突条とを備えたことに特徴を有する。したがって、コンロの炎又は熱によって熱せられた空気は、やかんの底部開口から熱伝導管路により貯水部内を通過するように導かれる。さらに、コンロにより熱せられた空気は、熱伝導管路に螺旋状に設けられた突条に沿うように上方へと案内されるため、コンロの熱は効率よく熱伝導管路に伝達され、さらに熱伝導管路から貯水部内の水へと効率よく熱が伝達される。
【０００９】
また、請求項２に記載の考案は、請求項１に記載の考案において、底部開口は、やかんの底部のほぼ全体にわたり開口するように形成されており、熱伝導管路は、前記底部開口から上方に向かって徐々に径が細くなるように形成されていることに特徴を有する。したがって、熱伝導管路のコンロに近い部分は、表面積が広くなっており、コンロの炎又は熱よって良く熱せられるが、上方にて熱を失った空気と接する熱伝導管路の表面積は狭くなっているため、やかんの熱効率は優れたものとなる。さらに、熱伝導管路は、上方ほど徐々に径が細くなっているため、貯水部の容積の減少が抑えられる。
【００１０】
また、請求項３に記載の考案は、請求項１又は請求項２に記載の考案において、熱伝導管路は、その内側面の表面積が増大するように、波状に湾曲形成されていることに特徴を有する。したがって、貯水部内の水と熱伝導管路との接触面積が増大することとなる。
【００１１】
また、請求項４に記載の考案は、請求項１から請求項３のいずれか１項の考案において、やかんの貯水部は、その下部の内径が小さくなるように形成されていることに特徴を有する。したがって、貯水部内の水量が少ない場合にも貯水部内の水と熱伝導管路との接触面積が広く確保される。
【００１２】
また、請求項５に記載の考案は、請求項１から請求項４のいずれか１項の考案において、やかんの貯水部は、内部の水量に応じて上下する浮子を有するゲージを備えていることに特徴を有する。したがって、ゲージにより貯水部内の水量を簡便に確認できる。
【考案の効果】
【００１３】
請求項１に記載の考案により、コンロにより熱せられた空気がやかんの外周面に沿ってすぐに抜け出てしまうことを防ぎ、やかん内部の水への熱伝導効率を可能な限り高めたやかんを提供することができる。
【００１４】
請求項２に記載の考案により、開口底部からコンロの熱をやかん内部の水に対して無駄なく伝達することができるとともに、貯水部によって多くの水を効率よく沸かすことができる。
【００１５】
請求項３に記載の考案により、熱伝導管路から貯水部内の水に対する熱伝導効率を高めることができるとともに、貯水部内の洗浄作業を害することも抑制することができる。
【００１６】
請求項４に記載の考案により、貯水部内の水量の多少にかかわらず、貯水部内の水を熱伝導管路と多く接触させることができ、やかんの熱効率の低下を防ぐことができる。
【００１７】
請求項５に記載の考案により、貯水部内の水量を簡便に確認することができ、空焚きを未然に防止することもできる。
【図面の簡単な説明】
【００１８】
【図１】図１は本考案のやかんの一部を切り欠いてやかんの内部構造を示す断面図である。
【図２】図２は本考案のやかんの側面図である。
【図３】図３は本考案のやかんの底面図である。
【図４】図４は本考案のやかんの熱伝導管路を示す斜視図である。
【図５】図５は本考案の熱伝導管路の他の実施例を示す断面図である。
【図６】図６は本考案のやかんの他の実施形態の底面図である。
【考案を実施するための形態】
【００１９】
以下に、図面を用いて本考案の実施形態を説明する。
【００２０】
図１、図２及び図３は、本考案を具体化したやかん１０の一実施例を示している。前記やかん１０は、略円筒状の貯水部１を備えており、当該貯水部１の斜め上方に対応する位置には筒状の注ぎ口２を備えている。また、前記やかん１０は、その上部に取っ手３が傾動可能に取り付けられており、前記貯水部１の上方に対応して設けられた開口には蓋４が取り付けられている。
【００２１】
前記やかん１０は、その上部にゲージ取付管５ａが上下方向を向くように固定されており、当該ゲージ取付管５ａには棒状のゲージ５が挿通されている。そして、ゲージ５の下端部に設けられた浮子５ｂが前記貯水部１内の水量に応じて上下することで、ゲージ５によって前記貯水部１内の水量を表示することができるようになっている。
【００２２】
前記やかん１０の底部には、やかん１０の底部のほぼ全体にわたり開口するように、コンロの炎又は熱を導入する底部開口６が形成されており、当該底部開口６には上方に向かって徐々に径が細くなるように形成された熱伝導管路７の下端が接続されて固定されている。そして、前記熱伝導管路７は、前記やかん１０内部の貯水部１を通過した後、やかん１０外部に抜ける熱出口８に他端（上端）が接続されている。即ち、熱伝導管路７は、その下端が前記底部開口６を構成し、その上端が前記熱出口８を構成するものである。この熱出口８を設ける位置は、前記貯水部１内の水面の位置が符号Ｈで示す高い位置にある場合において、その水面より若干低い位置であって、前記注ぎ口２の若干側方に設けるのが好ましい。
【００２３】
また、図１及び図４に示すように、前記熱伝導管路７の外側面（前記やかん１０の外面を構成する面）及び、内側面（前記貯水部１内の水と接する面）は、表面積が増大するように波状に湾曲形成されるとともに、波の凹部及び凸部がそれぞれ螺旋状となるように形成されている。さらに、前記熱伝導管路７の外側面には、湾曲形成された外側面の凸部に沿うように螺旋状の突条７ａが下向きに形成されており、当該突条７ａは、コンロ２０の炎２１によって熱せられた空気と接触して前記熱出口８まで熱せられた空気をなるべく波の凹凸に沿うように案内するようになっている（図１において空気の流れを示す矢印参照）。
【００２４】
したがって、熱伝導管路７は、その外側面の表面積が波の凹凸形状及び突条７ａによって非常に増大することになるため、コンロ２０の熱を効率よく受け取って吸収することができる。さらに、熱伝導管路７は、その内側面の表面積が波の凹凸形状によって増大しており、コンロ２０の熱を効率よく貯水部１内の水に受け渡すことができる。
【００２５】
さらに、本実施形態のやかん１０の貯水部１は、その下部１ａの内径が小さくなるように形成されており、貯水部１内の水量が少ない場合であっても、貯水部１内の水と熱伝導管路７との接触面積が多く得られるようになっており、貯水部１内の水量如何にかかわらず効率よく湯を沸かすことができるようになっている。即ち、図１において、貯水部１内の水面が符号Ｌで示す低い位置にある場合であっても、水面が符号Ｈで示す高い位置にある場合と同様に効率よく湯を沸かすことができる。
【００２６】
尚、熱伝導管路７から水への熱伝導効率を向上させるために、前記突条７ａと同様の突条又は他の凹凸形状を熱伝導管路７の内面側にも設けて実施してもよいが、貯水部１の洗浄に支障が生じないように、例えば、ドーム状又はかまぼこ状のように滑らかな外面形状のものとすることが好ましい。
【００２７】
前記熱伝導管路７の具体的な形態としては、図５に示すように、波状の湾曲形状をより細かいものとし、熱伝導管路７の外側面及び内側面の表面積をより増大させて実施してもよく、この場合、突条７ａをより高密度に形成して熱効率を一層高めるようにすることもできる。
【００２８】
また、前記螺旋状の突条７ａの具体的形態としては、図６に示すように、部分的に途切れるように多数の突条７ａを形成して実施してもよい。さらに、熱伝導管路をその内側面から凹ませることで、熱伝導管路の外側面に突出する突条を形成してもよい。この場合、突条を迅速且つ容易に形成することができる。
【００２９】
本考案は上記各実施形態に限定されるものではなく、本考案の趣旨を逸脱しない範囲で前記熱伝導管路７や貯水部１の大きさ、形状などを適宜変更したり、ゲージ５を省略して実施したりすることも可能である。
【００３０】
例えば、大型のやかんの場合には、底部開口６をやかんの底部のほぼ全体にわたり開口するように形成する必要はなく、一般的なコンロの炎の大きさと対応してコンロの熱を効率よく熱伝導管路７に導いて貯水部内の水に伝達できる程度の大きさとすればよい。
【００３１】
さらに、熱出口８は、必ずしも貯水部１の外面より突出するように設ける必要はないので、熱出口８の上端部を貯水部１の外面と面一となるように設けてもよい。
【産業上の利用可能性】
【００３２】
以上のように、本考案のやかんは、熱効率に優れたやかんとして利用される。
【符号の説明】
【００３３】
１    貯水部
１ａ  下部
２    注ぎ口
３    取っ手
４    蓋
５    ゲージ
５ａ  ゲージ取付管
５ｂ  浮子
６    底部開口
７    熱伝導管路
７ａ  突条
８    熱出口
１０  やかん
２０  コンロ
２１    炎
Ｈ    水面
Ｌ    水面
【図１】
0003161604.tif 000003
【図２】
0003161604.tif 000004
【図３】
0003161604.tif 000005
【図４】
0003161604.tif 000006
【図５】
0003161604.tif 000007
【図６】
0003161604.tif 000008